(57)【要約】【課題】銀を主体とした金属製装飾品は、空気中に置いておくと早期に酸化又は硫化し易く、時間の経過とともに表面が黒く変色するといった問題があった。いままでは、酸化又は硫化を押さえることを目的としたものが多いが、本発明の金属製装飾品は、時間の経過とともに表面が黒く変色する素材の特性を生かし、地金に酸化又は硫化速度の異なる金属を埋め込み、時間の経過とともに模様やメッセージを徐々に浮かび上がらせる。本発明は、新しいタイプの金属製装飾品を提供することができ、酸化又は硫化に対する価値観を向上させることを目的としている。【解決手段】前記第１金属の表面における時間の経過とともに、色彩を変化させたい部分を除去し、前記第１金属を除去した部分に、前記第２金属を埋め込み、表面から盛り上がった余分な前記第２金属を除去し、表面を平らにする手順で製造される。【選択図】図３
2015146999.tif 000002
【特許請求の範囲】
【請求項１】
第１金属からなる地金に、酸化若しくは、硫化速度の異なる第２金属を埋め込んだ金属製装飾品であって、時間の経過とともに第２金属の色彩が変化する金属製装飾品。
【請求項２】
前記第１金属と前記第２金属の主成分が同一で、その含有量が異なり、かつ金属製装飾品の製造時において、前記第２金属の色彩が前記第１金属の色彩と実質的に同一である請求項１記載の金属製装飾品。
【請求項３】
前記第１金属は金であり、前記第２金属は金ロウである請求項１、又は請求項２記載の金属製装飾品。
【請求項４】
前記第１金属は銀であり、前記第２金属は銀ロウである請求項１、又は請求項２記載の金属製装飾品。
【請求項５】
前記第１金属と前記第２金属のイオン化傾向が異なり、かつ金属製装飾品の製造時における、前記第２金属の色彩が前記第１金属の色彩と実質的に同一である請求項１記載の金属製装飾品。
【請求項６】
前記第１金属はプラチナであり、前記第２金属は銀、銀ロウである請求項1、又は請求項５記載の金属製装飾品
【請求項７】
前記第１金属の表面における時間の経過とともに、色彩を変化させたい部分を除去し、前記第１金属を除去した部分に、前記第２金属を埋め込み、表面から盛り上がった余分な前記第２金属を除去し、表面を平らにする手順により製造される請求項１ないし請求項６いずれかに記載の金属製装飾品の製造方法。
【発明の詳細な説明】
【技術分野】
【０００１】
本発明は金属製装飾品に関し、更に詳しくは模様入りやメッセージ入りの金属製装飾品に関するものである。
【背景技術】
【０００２】
模様入りの金属製装飾品として、金属の細い線や小さな板を、磨いた面に、それとコ ントラストの効いた金属などをはめ込み、模様や絵柄を施す伝統工芸が知られている。（非特許文献1参照）
【０００３】
メッセージ入りの金属製装飾品として、硫化化合物と銀製品を化学反応させ、全体を黒く変色させた後、表面の出っ張った部分だけが磨くことで、銀独特の光沢が現れ、へこんだ部分は黒いままの色が残す、いぶし銀の手法が知られている。（非特許文献２参照）
【先行技術文献】
【非特許文献】
【０００４】
【非特許文献１】［平成２５年１２月１６日検索］〈インターネット  URL:http://www.soukeikai.or.jp/smithing/main.html 〉
【非特許文献２】［平成２５年１２月１６日検索］〈インターネットURL:http://www.hagerty.co.jp/howtosc4.html〉
【発明の概要】
【発明が解決しようとする課題】
【０００５】
銀を主体とした金属製装飾品は、空気中に置いておくと早期に酸化又は硫化し易く、時間の経過とともに表面が黒く変色するといった問題があった。
いままでは、酸化又は硫化を押さえることを目的としたものが多いが、本発明の金属製装飾品は、時間の経過とともに表面が黒く変色する素材の特性を生かし、地金に酸化又は硫化速度の異なる金属を埋め込み、時間の経過とともに模様やメッセージを徐々に浮かび上がらせる。本発明は、新しいタイプの金属製装飾品を提供することができ、酸化又は硫化に対する価値観を向上させることを目的としている。
【課題を解決するための手段】
【０００６】
（１）本発明の金属製装飾品は、第１金属からなる地金に、酸化速度若しくは、硫黄化成分等による硫化速度の異なる、色彩の変化速度の早い第２金属を埋め込んだ金属製装飾品であって、時間の経過とともに第２金属の色彩が変化する金属製装飾品。
（２）本発明の金属製装飾品は、前記第１金属と第２金属の主成分が同一で、その含有量が異なり、かつ金属製装飾品の製造時において、前記第２金属の色彩が前記第１金属の色彩と実質的に同一である（１）記載の金属製装飾品。
（３）本発明の金属製装飾品は、前記第１金属は金であり、前記第２金属は金ロウである（１）、又は（２）記載の金属製装飾品。
（４）本発明の金属製装飾品は、前記第１金属は銀であり、前記第２金属は銀ロウである（１）、又は（２）記載の金属製装飾品。
（５）本発明の金属製装飾品は、前記第１金属と第２金属のイオン化傾向が異なり、かつ金属製装飾品の製造時において、第２金属の色彩が第１金属の色彩と実質的に同一である（１）記載の金属製装飾品。
（６）本発明の金属製装飾品は、前記第１金属はプラチナであり、前記第２金属は銀又は銀ロウである（１）、又は（５）記載の金属製装飾品。
（７）更に本発明の金属製装飾品は、以下の手順により製造される（１）ないし（６）いずれかに記載の金属製装飾品の製造方法。
前記第１金属の表面における時間の経過とともに、色彩を変化させたい部分を除去し、前記第１金属を除去した部分に、前記第２金属を埋め込み、表面から盛り上がった余分な前記第２金属を除去し、表面を平らにする。
【発明の効果】
【０００７】
銀を主体とした金属製装飾品は、空気中に置いておくと早期に酸化又は硫化し易く、時間の経過とともに表面が黒く変色するといった問題があった。
いままでは、酸化又は硫化を押さえることを目的としたものが多いが、本発明の金属製装飾品は、時間の経過とともに表面が黒く変色する素材の特性を生かし、地金に酸化又は硫化速度の異なる金属を埋め込み、時間の経過とともに模様やメッセージを徐々に浮かび上がらせる。本発明は、新しいタイプの金属製装飾品を提供することができ、酸化又は硫化に対する価値観を向上させることを目的としている。また、本発明の金属製装飾品は時間経過した後、初めて模様やメッセージが出てきて、プレゼントを贈った相手に更にサプライズを与えることが出来る。
【図面の簡単な説明】
【０００８】
【図１】実施例１で製造された、製造直後のブレスレットである。
【図２】図1の部分拡大図である。
【図３】図1を装着後、３ヶ月後の部分拡大図である。
【発明を実施するための形態】
【０００９】
本発明の金属製装飾品としては、特に限定されないが、ブレスレット、バングル、リング、ネックレス、ピアス、イヤリング、ペンダント、ヘアピン、ネクタイピン、ボタン、カフス、酒器、コップ、箸、箸置き、カトラリー、置物等が挙げられる。
【００１０】
第１金属として、純金、１８金、イエローゴールド、グリーンゴールド、ピンクゴールド、レッドゴールド、パープルゴールド、ホワイトゴールド、ブラックゴールド、ベージュゴールド、純銀、シルバー９７０、シルバー９５０、シルバー９２５、プラチナ、純銅、白銅、青銅、丹銅等などが挙げられる。
第２金属として、１８金、１８金ロウ、１６金ロウ、１４金ロウ、１０金ロウ、シルバー９５０、シルバー９２５、銀ロウの２分ロウ、３分ロウ、５分ロウ、７分ロウ、早分ロウ、赤銅、真鍮ロウ、錫等が挙げられる。
【００１１】
地金を構成する前記第１金属と地金として埋め込まれる前記第２金属の組み合わせとして、以下のようなものが挙げられる。
（１）前記第１金属として、純金、１８金、１４金に対し、前記第２金属として、１８金ロウ、１６金ロウ、１４金ロウ、１０金ロウ、ホワイトロウ、ピーロウ等が挙げられる。
（２）前記第１金属として、純銀、シルバー９７０、シルバー９５０、シルバー９２５に対し、前記第２金属として、銀ロウの２分ロウ、３分ロウ、５分ロウ、７分ロウ、早分ロウ等が挙げられる。
（３）前記第１金属として、純銅に対し、前記第２金属として、赤銅等が挙げられる。
（４）前記第１金属として、真鍮に対し、前記第２金属として、真鍮ロウ等が挙げられる。
（５）前記第１金属として、プラチナに対し、前記第２金属として、銀又は銀ロウ等が挙げられる。
使用する前記第２金属としては、金属製装飾品の前記第１金属の主成分を含有する金属を使用するとより密着し、色も似てくる。 そのため、金製品には金ロウ、銀製品には銀ロウを使うのが好ましい。
【００１２】
色彩が実質的に同一であるとは、前記第１金属に埋め込んだ前記第２金属の模様やメッセージが表面の見た目にほとんど分からない程度であることである。
【００１３】
模様としては、特に限定されないが、幾何学模様、水玉模様、格子模様、花や木などの植物模様、太陽、月などの自然現象文様、ゼブラ、ヒョウ柄などの動物柄、文様、縞模様、市松模様等が挙げられる。
【００１４】
メッセージとしては、特に限定されないが、love、thank you、marry meなどの相手に想いを伝える言葉、Adoreなどの相手を讃えるような言葉等が挙げられる。
【００１５】
金ロウ、銀ロウ、真鍮ロウ、アルミニウムロウ等は、本来は複数の部材や接合面を接合する際に、接合する母材よりも融点の低い合金を溶かし、一種の接着剤として用いることにより、母材自体の溶融させずに複数の部材や接合面を接合する際に使われる材料であるが、本発明の金属製装飾品では、複数の部材や接合面を接合するために使用するのではなく、前記第１金属に凹を作り、凹を埋める際に使用する。
【００１６】
本発明の金属製装飾品の前記第１金属の表面に凹を作る方法としては、特に限定されないが、刻印、彫金、リューター、たがね等が挙げられる。また、第１金属の表面の凹の深さとしては、特に限定されないが、０．１５mm〜５mm、好ましくは０.４mm〜１mmである。
【００１７】
前記第２金属が前記第１金属の表面と同一の面となるように、表面から盛り上がった余分な前記第２金属を、平らにする方法としては、特に限定はされないが、鎚とたがねを用い、打つことで平らにする方法や平ヤスリ、グラインダー、サンドペーパー、リューター等が挙げられる。
【００１８】
本発明の金属製装飾品の前記第１金属と前記第２金属の主成分は単一成分で構成されるもの、又は２種類以上の成分を含有する合金である。
【００１９】
前記第１金属として、金、銀、プラチナ等がある。前記イオン化傾向が異なる金属として、銀、銅、亜鉛、パラジウム、錫、カドニウム、ニッケル等が挙げられる。
【００２０】
本発明の金属製装飾品は、空気に触れることで色彩の変化が始まるので、相手にプレゼントをした後に、模様やメッセージが浮き出るようにするため、製造後は出来るだけ空気と遮断し、密閉袋や桐箱等で保存することが好ましい。
【００２１】
本発明の金属製装飾品が空気に触れ始めてから、模様やメッセージが浮き出てくるまでの時間は、空気中に含まれる成分、外気の気象条件、更には身につける人の汗の成分等の違いによっても差は出るが、早いものでは数時間から、長いものでは数ヶ月後に浮き出てくる。
【実施例】
【００２２】
指輪を以下の手順で製造した。
（１）プラチナを用い、指輪を形成した。
（２）刻印を用い指輪の表面に、「love」を0.5mmの深さに打った。
（３）次いで、「love」を打った部分に銀ロウを埋め込んだ。
（４）その後、表面から盛り上がった余分な銀ロウを、サンドペーパーを用いて  除去し、表面を平らにした。
（５）製造直後は、「love」の文字は見えなかった。
（６）製造後は出来るだけ空気と遮断するため、密閉袋に入れ保存した。
指輪に身に着け、３ケ月経つと「love」のメッセージが徐々に表れた。
【００２３】
指輪を以下の手順で製造した。
（１）シルバー９５０を用い、指輪を形成した。
（２）たがねを用い指輪の表面に、「love」を0.３mmの深さに打った。
（３）次いで、「love」を打った部分に銀ロウを埋め込んだ。
（４）その後、表面から盛り上がった余分な銀ロウを、サンドペーパーを用いて  除去し、表面を平らにした。
（５）製造直後は、「love」の文字は見えなかった。
（６）製造後は出来るだけ空気と遮断するため、密閉袋に入れ保存した。
指輪に身に着け、２ケ月経つと「love」のメッセージが徐々に表れた。
【産業上の利用可能性】
【００２４】
本発明により、新しいタイプの金属製装飾品を提供することができる。
【符号の説明】
【００２５】
（１）指輪の内側
（２）「love」のメッセージ  
【図１】
2015146999.tif 000003
【図２】
2015146999.tif 000004
【図３】
2015146999.tif 000005